(57)【特許請求の範囲】
【請求項１】
探索対象に設けられた無線タグに対し無線通信を行うための所定の指向性を備えたアンテナ手段と、
操作者の視覚に対し前記探索対象の自然像を含む所定の視野を付与可能に、前記操作者の頭部に保持される透過型の表示手段と、
前記アンテナ手段から前記指向性に沿って生成される通信領域に対応した、前記アンテナ手段の指向性に関する指向性情報、及び、前記アンテナ手段を介して出力される信号の送信出力に関する送信出力情報、を通信領域情報として取得する領域情報取得手段と、
前記領域情報取得手段で取得した前記通信領域情報に基づき、前記表示手段の前記所定の視野内において前記通信領域の可視化表示を行うための表示信号を生成し、前記表示手段に出力する領域表示制御手段と、
前記探索対象に関する探索対象情報を取得する対象情報取得手段と、
前記対象情報取得手段で取得した前記探索対象情報を前記所定の視野内において可視化表示するための表示信号を生成し、前記表示手段に出力する対象表示制御手段と、
前記探索対象に係わる前記無線タグに対する問い合わせ信号を生成し、前記アンテナ手段を介し、前記通信領域内に存在する前記無線タグへ送信する送信処理手段と、
前記問い合わせ信号に応じて前記無線タグから送信された応答信号を、前記アンテナ手段を介し受信可能な受信処理手段と、
前記問い合わせ信号に応じた前記無線タグからの応答信号を前記受信処理手段が受信した場合、前記所定の視野内において、前記受信処理手段での受信結果に対応する表示を行うための表示信号を生成し、前記表示手段に出力する受信表示制御手段と、
基準物に対する前記表示手段の相対方位を検出する方位検出手段と、
前記問い合わせ信号に応じた前記無線タグからの応答信号を前記受信処理手段が受信した場合に、前記方位検出手段で検出した前記相対方位を受信時方位として記憶する方位記憶手段と、
前記方位記憶手段に記憶した前記受信時方位と、前記方位検出手段で検出された前記表示手段の前記相対方位との差に応じて、前記所定の視野内において前記無線タグの存在位置情報に対応する表示を行うための表示信号を生成し、前記表示手段に出力する方向表示制御手段と、
を有することを特徴とする無線タグ探索装置。
【請求項２】
前記対象表示制御手段は、
前記対象情報取得手段で取得した前記探索対象情報に基づき、前記探索対象の外観を前記所定の視野内において画像表示するための表示信号を生成する
ことを特徴とする請求項１記載の無線タグ探索装置。
【請求項３】
前記対象表示制御手段は、
前記対象情報取得手段で取得した前記探索対象情報に基づき、前記探索対象の物品名や属性情報を前記所定の視野内においてテキスト表示するための表示信号を生成する
ことを特徴とする請求項１又は請求項２記載の無線タグ探索装置。
【請求項４】
前記対象表示制御手段は、
前記探索対象情報を、前記所定の視野内において前記通信領域と重ならないような位置に表示するための表示信号を生成する
ことを特徴とする請求項１乃至請求項３のいずれか１項記載の無線タグ探索装置。
【請求項５】
前記対象表示制御手段は、
前記所定の視野内において、中央側に表示される前記通信領域と重ならないように前記探索対象情報を外周側に表示するための表示信号を生成する
ことを特徴とする請求項４記載の無線タグ探索装置。
【請求項６】
前記受信表示制御手段は、
前記応答信号を前記受信処理手段が受信した場合、前記対象表示制御手段からの表示信号により表示されていた前記探索対象情報を、前記所定の視野内においてその表示態様を変えて新たに表示するための表示信号を生成する
ことを特徴とする請求項１記載の無線タグ探索装置。
【請求項７】
前記アンテナ手段の前記指向性の方向を可変制御する指向性制御手段を有し、
前記領域表示制御手段は、
前記指向性制御手段による指向性の方向の変化と共に移動する通信領域の可視化表示を行うための表示信号を生成し、前記表示手段に出力する
ことを特徴とする請求項１記載の無線タグ探索装置。
【請求項８】
前記領域表示制御手段は、
前記指向性制御手段による前記アンテナ手段の指向性の変化によってカバー可能な全体通信領域の可視化表示を行うための表示信号を生成し、前記表示手段に出力する
ことを特徴とする請求項７記載の無線タグ探索装置。
【請求項９】
前記指向性制御手段は、
前記方位記憶手段に記憶した前記受信時方位と、前記方位検出手段で検出された前記表示手段の前記相対方位との差に応じて、前記アンテナ手段の前記指向性の方向を可変制御する
ことを特徴とする請求項７又は請求項８記載の無線タグ探索装置。
【請求項１０】
前記指向性制御手段は、
前記指向性の方向の変化と共に移動する前記通信領域内に位置する無線タグからの応答信号を前記受信処理手段が受信した場合、前記無線タグとの無線通信を停止する
ことを特徴とする請求項７記載の無線タグ探索装置。
【請求項１１】
前記領域表示制御手段は、
前記方位記憶手段に記憶した前記受信時方位と、前記方位検出手段で検出された前記表示手段の前記相対方位との差に応じ、前記無線タグからの応答信号の受信時における前記通信領域を、前記所定の視野内において継続表示するための表示信号を生成し、前記表示手段に出力する
ことを特徴とする請求項１０記載の無線タグ探索装置。
【発明の詳細な説明】
【技術分野】
【０００１】
本発明は、探索対象に設けられた無線タグに対し無線通信を行うことにより、探索対象の探索を行う無線タグ探索装置に関する。
【背景技術】
【０００２】
近年、所定の情報を記憶する小型の無線タグとリーダ（読み取り装置）／ライタ（書き込み装置）との間で非接触で情報の読み取り／書き込みを行うＲＦＩＤ（Ｒａｄｉｏ  Ｆｒｅｑｕｅｎｃｙ  Ｉｄｅｎｔｉｆｉｃａｔｉｏｎ）システムが提唱されており、様々な分野において実用化されつつある。
【０００３】
上記ＲＦＩＤシステムの実用化の一例として、探索対象に設けられた無線タグに対し無線通信を行うことにより、探索対象の探索を行う無線タグ探索装置が挙げられる（例えば、特許文献１参照）。この従来技術では、操作者が、探索対象（荷）に設けられた無線タグ（荷タグ）の情報を無線通信を介して取得するリーダと、透過型の表示手段（ヘッドマウントディスプレイ）とを身体に装着しており、操作者が移動して無線タグがリーダの通信範囲に入ると情報が取得され、探索対象であるか否かが照合される。そして、探索対象である場合には、その旨を表示手段に表示して操作者に知らせるようになっている。
【０００４】
【特許文献１】特開２００４−９９２７８号公報
【発明の開示】
【発明が解決しようとする課題】
【０００５】
上記従来技術では、操作者が移動することにより無線タグがリーダの通信範囲に入ると無線タグの情報が取得され、探索対象であるか否かが照合される。このとき、操作者はリーダの通信範囲を明確に認識できる訳ではないため、操作者が情報取得を意図する対象とは異なる対象の無線タグ情報が取得される可能性があり、探索の確実性を低下するおそれがあった。また、通信範囲を明確に認識できないことから、操作者はリーダの指向性等を考慮せずに、検出しようとする探索対象にとりあえず近づくことにより無線タグの情報を取得しようとするため、効率的に探索を行うことができなかった。
【０００６】
本発明の目的は、通信領域を視覚的に認識しながら無線タグの探索を行うことで、迅速かつ確実に探索対象を発見することができる無線タグ探索装置を提供することにある。
【課題を解決するための手段】
【０００７】
上記目的を達成するために、第１発明の無線タグ探索装置は、探索対象に設けられた無線タグに対し無線通信を行うための所定の指向性を備えたアンテナ手段と、操作者の視覚に対し前記探索対象の自然像を含む所定の視野を付与可能に、前記操作者の頭部に保持される透過型の表示手段と、前記アンテナ手段から前記指向性に沿って生成される通信領域に対応した、前記アンテナ手段の指向性に関する指向性情報、及び、前記アンテナ手段を介して出力される信号の送信出力に関する送信出力情報、を通信領域情報として取得する領域情報取得手段と、前記領域情報取得手段で取得した前記通信領域情報に基づき、前記表示手段の前記所定の視野内において前記通信領域の可視化表示を行うための表示信号を生成し、前記表示手段に出力する領域表示制御手段と、前記探索対象に関する探索対象情報を取得する対象情報取得手段と、前記対象情報取得手段で取得した前記探索対象情報を前記所定の視野内において可視化表示するための表示信号を生成し、前記表示手段に出力する対象表示制御手段と、前記探索対象に係わる前記無線タグに対する問い合わせ信号を生成し、前記アンテナ手段を介し、前記通信領域内に存在する前記無線タグへ送信する送信処理手段と、前記問い合わせ信号に応じて前記無線タグから送信された応答信号を、前記アンテナ手段を介し受信可能な受信処理手段と、前記問い合わせ信号に応じた前記無線タグからの応答信号を前記受信処理手段が受信した場合、前記所定の視野内において、前記受信処理手段での受信結果に対応する表示を行うための表示信号を生成し、前記表示手段に出力する受信表示制御手段と、基準物に対する前記表示手段の相対方位を検出する方位検出手段と、前記問い合わせ信号に応じた前記無線タグからの応答信号を前記受信処理手段が受信した場合に、前記方位検出手段で検出した前記相対方位を受信時方位として記憶する方位記憶手段と、前記方位記憶手段に記憶した前記受信時方位と、前記方位検出手段で検出された前記表示手段の前記相対方位との差に応じて、前記所定の視野内において前記無線タグの存在位置情報に対応する表示を行うための表示信号を生成し、前記表示手段に出力する方向表示制御手段と、を有する。
【０００８】
本願第１発明の無線タグ探索装置においては、操作者の体に保持されて所定の視野を与える表示手段が透過型に構成されており、操作者は、これによって視野の中に探索対象の自然像（可視光線により肉眼で視認できる映像）を見ることができる。一方、本願第１発明の無線タグ探索装置では、無線タグと無線通信を行うアンテナ手段が所定の指向性を備えている。この指向性に沿ってアンテナ手段から通信領域が生成され、これに対応した通信領域情報が領域情報取得手段で取得される。そしてその通信領域情報に基づく領域表示制御手段の制御により、表示手段の視野の中で、通信領域が可視化されて表示される。
【０００９】
以上のように、無線タグとの通信時には、アンテナ手段からの通信領域が可視化されて表示される。これにより、操作者は、通信領域を視覚的に認識しながら無線タグの探索を行うことができるので、迅速かつ確実に探索対象を発見することができる。
【００１１】
また、送信出力情報によって通信領域の大きさを決定でき、指向性情報によって通信領域のメインローブの方向が決定できる。これにより、これら２つの情報によって通信領域の正確な位置を確実に特定し、表示手段の視野内に精度よく可視化表示することができる。
【００１３】
また、探索対象情報を表示手段の視野内に併せて表示することにより、操作者が探索を行うときに、探索対象を表示手段の視野内にて確実に認識しつつ探索を行うことができ、利便性が高い。
また、送信処理手段で生成された問い合わせ信号がアンテナ手段を介し通信領域内へと送信される。通信領域内に探索対象に対応する無線タグが存在した場合は、当該問い合わせ信号に対応する応答信号が無線タグから送信され、アンテナ手段を介し受信処理手段で受信される。このとき、受信表示制御手段の制御により、所定の視野内において対応する表示が行われる。これにより、通信領域内において探索したい無線タグが検出されたことを、操作者に確実に報知することができる。
また、基準物に対する表示手段の相対方位を方位検出手段で検出し、問い合わせ信号に応じた無線タグからの応答信号が受信された場合には、その検出した相対方位を受信時方位として方位記憶手段が記憶する。これにより、無線タグの検出時の無線タグ探索装置の受信時方位を記憶しておけば、これ以降、表示手段や無線タグ探索装置全体の位置や姿勢が変わってその方向が変化したとき、記憶された受信時方位に基づきその方向変化を算出することが可能となる。
そしてその際、記憶された上記受信時方位と、検出された上記表示手段の相対方位との差に応じ、方向表示制御手段が、無線タグの存在位置情報に対応する表示を行うための表示信号を生成し出力する。これにより、無線タグの検出時以降、表示手段や無線タグ探索装置全体の位置や姿勢が変わってその方向が変化した場合でも、その方向の変化（ずれ）を補正する形での表示を行うことができる。この結果、操作者に対し、無線タグの存在位置情報を確実に報知することが可能となる。また表示手段や無線タグ探索装置全体の方向が大きく変わり無線タグとの通信が途絶した場合であっても、視野内において無線タグの存在位置情報を報知し続けることができる効果もある。
【００１４】
第２発明の無線タグ探索装置は、上記第１発明において、前記対象表示制御手段は、前記対象情報取得手段で取得した前記探索対象情報に基づき、前記探索対象の外観を前記所定の視野内において画像表示するための表示信号を生成することを特徴とする。
【００１５】
これにより、表示信号に基づき生成された探索対象の外観の画像表示と、探索時において実際に視認される探索対象の自然像とを容易に照合することができ、さらに利便性が向上する。また、他人に頼まれた、実物をよく知らない探索対象でも容易に探すことが可能という効果もある。
【００１６】
第３発明の無線タグ探索装置は、上記第１又は第２発明において、前記対象表示制御手段は、前記対象情報取得手段で取得した前記探索対象情報に基づき、前記探索対象の物品名や属性情報を前記所定の視野内においてテキスト表示するための表示信号を生成することを特徴とする。
【００１７】
これにより、実際に表示手段の視野内において視認しつつ探索を行うとき、探索対象の物品名や属性情報のテキスト表示を併せて視認することができ、利便性が高い。
【００１８】
第４発明の無線タグ探索装置は、上記第１乃至第３発明のいずれかにおいて、前記対象表示制御手段は、前記探索対象情報を、前記所定の視野内において前記通信領域と重ならないような位置に表示するための表示信号を生成することを特徴とする。
【００１９】
視野内において、探索対象情報の表示と通信領域表示とが重ならないようにすることで、それぞれの見やすさを確保することができる。
【００２０】
第５発明の無線タグ探索装置は、上記第４発明において、前記対象表示制御手段は、前記所定の視野内において、中央側に表示される前記通信領域と重ならないように前記探索対象情報を外周側に表示するための表示信号を生成することを特徴とする。
【００２１】
通信領域を視野の中央側に表示し、これと重ならない外周側に探索対象情報を表示することにより、それぞれの見やすさを確保することができる。
【００２４】
第６発明の無線タグ探索装置は、上記第１発明において、前記受信表示制御手段は、前記応答信号を前記受信処理手段が受信した場合、前記対象表示制御手段からの表示信号により表示されていた前記探索対象情報を、前記所定の視野内においてその表示態様を変えて新たに表示するための表示信号を生成することを特徴とする。
【００２５】
それまで表示されていた探索対象情報の表示態様を変えることで、（無線タグが検出されたことに対応する）新たな別の表示を行うことなく、無線タグが検出されたことを操作者に報知することができる。
【００３０】
第７発明の無線タグ探索装置は、上記第１発明において、前記アンテナ手段の前記指向性の方向を可変制御する指向性制御手段を有し、前記領域表示制御手段は、前記指向性制御手段による指向性の方向の変化と共に移動する通信領域の可視化表示を行うための表示信号を生成し、前記表示手段に出力することを特徴とする。
【００３１】
本願第７発明においては、アンテナ手段の指向性の方向が、指向性制御手段によって可変制御される。これにより、アンテナ手段からの通信領域を、指向性の方向の変化と共に移動させることができる。そして、領域表示制御手段の制御に基づき、その移動する通信領域が表示手段の視野内において可視化表示されることにより、操作者は、移動する通信領域を視覚的に認識しながら無線タグの探索を行うことができる。
【００３２】
第８発明の無線タグ探索装置は、上記第７発明において、前記領域表示制御手段は、前記指向性制御手段による前記アンテナ手段の指向性の変化によってカバー可能な全体通信領域の可視化表示を行うための表示信号を生成し、前記表示手段に出力することを特徴とする。
【００３３】
本願第８発明においては、アンテナ手段の指向性の方向が、指向性制御手段によって可変制御されると、領域表示制御手段の制御に基づき、その指向性の変化によってカバー可能な全体通信領域が表示手段の視野内において可視化表示される。これにより、操作者は、移動する通信領域を重ね合わせた全体の通信領域を視覚的に認識しながら無線タグの探索を行うことができる。
【００３４】
第９発明の無線タグ探索装置は、上記第７又は第８発明において、前記指向性制御手段は、前記方位記憶手段に記憶した前記受信時方位と、前記方位検出手段で検出された前記表示手段の前記相対方位との差に応じて、前記アンテナ手段の前記指向性の方向を可変制御することを特徴とする。
【００３５】
無線タグの検出時以降、表示手段や無線タグ探索装置全体の位置や姿勢が変わってその方向が変化した場合でも、その方向の変化（ずれ）を補正する形で指向性の方向を無線タグの存在位置方向に制御することができる。これにより、無線タグとの通信を確実に維持することができる。また電波を出し続けることで、ほんとうにその方向に無線タグが存在するかを確実に検出することが可能となる。
【００３６】
第１０発明の無線タグ探索装置は、上記第７発明において、前記指向性制御手段は、前記指向性の方向の変化と共に移動する前記通信領域内に位置する無線タグからの応答信号を前記受信処理手段が受信した場合、前記無線タグとの無線通信を停止することを特徴とする。
【００３７】
無線タグからの応答があった場合にその後の無線通信を停止することにより、無用な通信を行うことを防止し、無線タグ探索装置の使用電力を節減することができる。また、応答時の位置を記憶させておくことにより、通信終了後も無線タグの存在位置情報を報知することが可能となる。
【００３８】
第１１発明の無線タグ探索装置は、上記第１０発明において、前記領域表示制御手段は、前記方位記憶手段に記憶した前記受信時方位と、前記方位検出手段で検出された前記表示手段の前記相対方位との差に応じ、前記無線タグからの応答信号の受信時における前記通信領域を、前記所定の視野内において継続表示するための表示信号を生成し、前記表示手段に出力することを特徴とする。
【００３９】
これにより、一度無線タグの応答受信に成功して無線通信が停止した後、表示手段や無線タグ探索装置全体の方向が変わった場合でも、その変化を補正するように通信領域を移動させる形（言い換えればもとの通信領域をロックオンして捕捉し続ける形）での継続表示を行うことができる。この結果、操作者に対し、無線タグの存在位置情報を確実に報知することが可能となる。
【発明の効果】
【００４０】
本発明によれば、迅速かつ確実に探索対象を発見することができる。
【発明を実施するための最良の形態】
【００４１】
以下、本発明の一実施の形態を図面を参照しつつ説明する。
【００４２】
図１は、本実施形態の無線タグ探索装置１００を含む探索システムＴＳの全体構成を表すシステム構成図である。
【００４３】
図１において、探索システムＴＳは、操作者Ｍにより保持される無線タグ探索装置１００と、この無線タグ探索装置１００と無線ＬＡＮ等の無線通信によりアンテナ２０１を介して情報の送受信が可能な基地局２０２と、この基地局２０２と通信回線ＮＷを介し接続され、液晶ディスプレイ等の表示部３０１及びキーボード等の操作部３０２を有する端末３００とを有している。
【００４４】
上記無線タグ探索装置１００は、探索対象ＬＰ（この例ではＦＡＸ、コピー、及びプリンタとして機能するレーザー複合機。以下適宜「レーザー複合機ＬＰ」と記載する）に設けられた無線タグＴに対し無線通信を行うための所定の指向性を備えたアンテナ１１０と、操作者Ｍの視覚に対し探索対象ＬＰの自然像を含む所定の視野ＦＶ（後述の図７等参照）を付与可能な表示装置１２０と、上記アンテナ１１０を介し無線タグＴと行う無線通信制御や、上記表示装置１２０による表示制御を行う制御装置１３０とを有している。上記アンテナ１１０、表示装置１２０、及び制御装置１３０は、操作者Ｍの頭部に保持される。
【００４５】
上記表示装置１２０（表示手段）は、操作者Ｍの身体に装着可能ないわゆるウェアラブルタイプの透過型ディスプレイを備えたものであり、操作者Ｍは、物品（探索対象ＬＰ以外の物品や人物等、操作者Ｍが可視光線により肉眼で視認できる視認対象を全て含む）の自然像（表示装置１２０が生成した画像でなく当該物品について可視光線により肉眼で視認できる映像）をディスプレイを透過させて視野ＦＶの中に見ることができると共に、表示装置１２０により生成された可視化画像を視野ＦＶの中で上記物品の自然像に重ね合わせて見ることが可能となっている。本実施形態では、表示装置１２０として、網膜走査型ディスプレイを用いている（詳細は後述）。
【００４６】
また、上記アンテナ１１０（アンテナ手段）の指向性は、表示装置１２０の向きと同方向となるように固定的に設定されている。これにより、操作者Ｍが表示装置１２０を顔に装着した状態では、アンテナ１１０の指向性は操作者Ｍの顔の向きと同方向となり、図１に示すように、当該指向性に沿って操作者Ｍの顔の向きと同方向に所定範囲の通信領域Ｓが生成されるようになっている。
【００４７】
図２は、上記無線タグ探索装置１００及び端末３００の機能構成を表す機能ブロック図である。
【００４８】
上記探索対象ＬＰに設けられた無線タグＴは、情報を記憶するＩＣ回路部１５０及びこのＩＣ回路部１５０に接続されたタグアンテナ１５１を備えた無線タグ回路素子Ｔｏを有している。
【００４９】
制御装置１３０は、アンテナ１１０を介し上記無線タグＴの無線タグ回路素子Ｔｏへ無線通信によりアクセスすると共に、その無線タグ回路素子Ｔｏから読み出された信号を処理する高周波回路１３１と、上記アンテナ２０１を介し基地局２０２と無線ＬＡＮによる通信を行うための無線ＬＡＮ通信部１３２と、上記高周波回路１３１、無線ＬＡＮ通信部１３２、及び表示装置１２０を含む無線タグ探索装置１００全体の制御を行う制御回路１３３と、この制御回路１３３に接続され、情報を読み書き可能な記憶部１３４（ＲＡＭ等）とを有する。
【００５０】
表示装置１２０は、上述したように網膜走査型ディスプレイであり、上記制御装置１３０の制御回路１３３からの制御信号に基づき後述する光源ユニット１２２及び走査部１２３の制御を行う表示制御部１２１と、表示制御部１２１からの制御信号に基づき光を出射させる光源を有する光源ユニット１２２と、表示制御部１２１からの制御信号に基づき、光源ユニット１２２の出射光の波面曲率に変調を加えると共に水平及び垂直方向に走査を行い、操作者Ｍの瞳孔へ入射角を変化させつつ光束を照射する走査部１２３とを有する。
【００５１】
端末３００は、上記表示部３０１及び操作部３０２と、探索対象に関する探索対象情報（タグＩＤ、物品名称、属性等を含む）を出し入れ可能に格納するデータベース３０３（ハードディスクや大容量メモリ等）と、端末３００全体の制御を行う制御回路３０４とを有している。上記制御回路３０４は、通信回線ＮＷ、基地局２０２、アンテナ２０１を介し、無線ＬＡＮによる通信により無線タグ探索装置１００の制御回路１３３と情報の送受信が可能である。これにより、端末３００において、後述する探索手順を行う際に、操作者Ｍが表示部３０１の表示に対応して操作部３０２を用いて探索対象を選択すると、制御回路３０４が当該選択された探索対象に係る探索対象情報についてデータベース３０３を検索し、読み出した探索対象情報を通信回線ＮＷ、基地局２０２、及びアンテナ２０１を介して無線タグ探索装置１００に送信することが可能となっている。
【００５２】
なお、上記では端末３００がデータベース３０３を有する構成としたが、これに限られず、端末３００とは別にデータベース用の情報サーバを設けてもよいし、無線タグ探索装置１００がデータベースを有する構成としてもよい。また上記では、探索対象の選択を端末３００で行う構成としたが、これに限られず、無線タグ探索装置１００が操作部等を有しており、操作者が無線タグ探索装置１００において探索対象を選択可能な構成としてもよい。
【００５３】
図３は、表示装置１２０の詳細な機能構成を表す機能ブロック図である。
【００５４】
図３において、表示制御部１２１は、制御回路１３３からの制御信号に基づき表示画像データを計算し、Ｒ光源１１、Ｇ光源１２、Ｂ光源１３に対する強度変調信号、波面曲率変調部１９への制御信号、及び光束偏向系２０への同期信号等を生成する。これらの各種計算のアルゴリズムはコンピュータグラフィックス分野で常用されている公知技術であり、ここでは説明を省略する。Ｒ，Ｇ，Ｂ各光源１１，１２，１３からの出射光は、コリメートレンズ１４ａ，１４ｂ，１４ｃによって略平行光束に成形された後、波長選択性ミラー１５．１６．１７によって合波され、フォーカスレンズ１４ｄによって光ファイバ１８の一端に入射される。この光ファイバ１８の他端よりの出射光は、コリメートレンズ１４ｅによって略平行な光束に変換され、波面曲率変調部１９に入射される。この波面曲率変調部１９は、上記表示制御部１２１からの制御信号に従って、入射光束の波面曲率（平行度）に変調を加える。波面曲率変調部１９からの出射光束は、光束偏向系２０へ入射される。光束偏向系２０は、図示しない複数のレンズとポリゴンミラーによって操作者Ｍの瞳孔へ入射角を変化させつつ光束を照射する。
【００５５】
表示装置１２０は、以上のような構成である光学系を２系列具備しており、操作者Ｍの両眼に光束を供給する。これにより、操作者Ｍは、物品の自然像をディスプレイを透過させて視野ＦＶの中に見ることができると共に、上記のようにして行われる瞳孔への照射により可視化された画像を表示装置１２０の視野ＦＶの中で上記自然像に重ね合わせて見ることが可能となっている。
【００５６】
図４は、上記高周波回路１３１の詳細構成を表す機能ブロック図である。なお、図中に示す矢印は信号の流れの一例を示すものであり、信号の流れ方向を限定するものではない。
【００５７】
この図４において、高周波回路１３１は、上記アンテナ１１０を介し上記無線タグ回路素子ＴｏのＩＣ回路部１５０の情報へアクセスするものであり、また無線タグ探索装置１００の制御回路１３３は無線タグ回路素子ＴｏのＩＣ回路部１５０から読み出された信号を処理して情報を読み出すと共に無線タグ回路素子ＴｏのＩＣ回路部１５０へアクセスするための各種コマンドを生成するものである。
【００５８】
高周波回路１３１は、アンテナ１１０を介し無線タグ回路素子Ｔｏに対して信号を送信する送信部１４２と、アンテナ１１０により受信された無線タグ回路素子Ｔｏからの応答波を入力する受信部１４３と、送受分離器１４４とから構成される。
【００５９】
送信部１４２（送信処理手段）は、無線タグ回路素子ＴｏのＩＣ回路部１５０の無線タグ情報にアクセスするための質問波を生成するブロックである。すなわち、送信部１４２は、周波数の基準信号を出力する水晶振動子１４５Ａと、制御回路１３３の制御により水晶振動子１４５Ａの出力を分周／遁倍して所定周波数の搬送波を発生させるＰＬＬ（Ｐｈａｓｅ  Ｌｏｃｋｅｄ  Ｌｏｏｐ）１４５Ｂ、及びＶＣＯ（Ｖｏｌｔａｇｅ  Ｃｏｎｔｒｏｌｌｅｄ  Ｏｓｃｉｌｌａｔｏｒ）１４５Ｃと、上記制御回路１３３から供給される信号に基づいて上記発生させられた搬送波を変調（この例では制御回路１３３からの「ＴＸ＿ＡＳＫ」信号に基づく振幅変調）する送信乗算回路１４６（但し振幅変調の場合は増幅率可変アンプ等を用いてもよい）と、その送信乗算回路１４６により変調された変調波を増幅（この例では制御回路１３３からの「ＴＸ＿ＰＷＲ」信号によって増幅率を決定される増幅）して所望の質問波を生成する可変送信アンプ１４７とを備えている。そして、上記発生される搬送波は、例えばＵＨＦ帯（又はマイクロ波帯、あるいは短波帯でもよい）の周波数を用いており、上記可変送信アンプ１４７の出力は、送受分離器１４４を介しアンテナ１１０に伝達されて無線タグ回路素子ＴｏのＩＣ回路部１５０に供給される。なお、質問波は上記のように変調した信号（変調波）に限られず、単なる搬送波のみの場合もある。
【００６０】
受信部１４３（受信処理手段）は、アンテナ１１０で受信された無線タグ回路素子Ｔｏからの応答波と上記発生させられた搬送波とを乗算して復調するＩ相受信乗算回路１４８と、そのＩ相受信乗算回路１４８の出力から必要な帯域の信号のみを取り出すためのＩ相バンドパスフィルタ１４９と、このＩ相バンドパスフィルタ１４９の出力を増幅するＩ相受信アンプ１６２と、このＩ相受信アンプ１６２の出力をさらに増幅してデジタル信号に変換するＩ相リミッタ１６３と、上記アンテナ１１０で受信された無線タグ回路素子Ｔｏからの応答波と上記発生された後に移相器１６７により位相を９０°遅らせた搬送波とを乗算するＱ相受信乗算回路１７２と、そのＱ相受信乗算回路１７２の出力から必要な帯域の信号のみを取り出すためのＱ相バンドパスフィルタ１７３と、このＱ相バンドパスフィルタ１７３の出力を増幅するＱ相受信アンプ１７５と、このＱ相受信アンプ１７５の出力をさらに増幅してデジタル信号に変換するＱ相リミッタ１７６とを備えている。そして、上記Ｉ相リミッタ１６３から出力される信号「ＲＸＳ−Ｉ」及びＱ相リミッタ１７６から出力される信号「ＲＸＳ−Ｑ」は、上記制御回路１３３に入力されて処理される。
【００６１】
また、Ｉ相受信アンプ１６２及びＱ相受信アンプ１７５の出力は、強度検出手段としてのＲＳＳＩ（Ｒｅｃｅｉｖｅｄ  Ｓｉｇｎａｌ  Ｓｔｒｅｎｇｔｈ  Ｉｎｄｉｃａｔｏｒ)回路１７８にも入力され、それらの信号の強度を示す信号「ＲＳＳＩ」が制御回路１３３に入力される。これにより、無線タグ探索装置１００では、無線タグ回路素子Ｔｏとの通信時における当該無線タグ回路素子Ｔｏからの信号強度を検出することが可能となっている。
【００６２】
図５は、上記無線タグ回路素子Ｔｏの機能的構成の一例を表すブロック図である。なお、図中に示す矢印は信号の流れの一例を示すものであり、信号の流れ方向を限定するものではない。
【００６３】
この図５において、無線タグ回路素子Ｔｏは、上述したように無線タグ探索装置１００のアンテナ１１０と非接触で信号の送受信を行う上記タグアンテナ１５１と、このタグアンテナ１５１に接続された上記ＩＣ回路部１５０とを有している。
【００６４】
ＩＣ回路部１５０は、タグアンテナ１５１により受信された質問波を整流する整流部１５２と、この整流部１５２により整流された質問波のエネルギを蓄積し駆動電源とするための電源部１５３と、上記タグアンテナ１５１により受信された質問波からクロック信号を抽出して制御部１５７に供給するクロック抽出部１５４と、所定の情報信号を記憶し得るメモリ部１５５と、上記タグアンテナ１５１に接続された変復調部１５６と、上記メモリ部１５５、クロック抽出部１５４、及び変復調部１５６等を介し上記無線タグ回路素子Ｔｏの作動を制御するための上記制御部１５７とを備えている。
【００６５】
変復調部１５６は、タグアンテナ１５１により受信された上記無線タグ探索装置１００のアンテナ１１０からの通信信号の復調を行い、また、上記制御部１５７からの返信信号を変調し、タグアンテナ１５１より応答波（タグＩＤを含む信号）として送信する。
【００６６】
クロック抽出部１５４は受信した信号からクロック成分を抽出して制御部１５７にクロックを抽出するものであり、受信した信号のクロック成分の周波数に対応したクロックを制御部１５７に供給する。
【００６７】
制御部１５７は、上記変復調部１５６により復調された受信信号を解釈し、上記メモリ部１５５において記憶された情報信号に基づいて返信信号を生成し、この返信信号を上記変復調部１５６により上記タグアンテナ１５１から返信する制御等の基本的な制御を実行する。
【００６８】
図６は、上記無線タグ探索装置１００の制御回路１３３が実行する制御手順を表すフローチャートである。
【００６９】
まずステップＳ１０では、制御回路１３３は、端末３００から送信された探索対象情報を取得する。この探索対象情報は、前述したように、端末３００において、操作者Ｍが表示部３０１の表示に対応して操作部３０２を用いて探索対象を選択することにより、制御回路３０４が当該選択された探索対象に係る探索対象情報についてデータベース３０３を検索し、読み出した探索対象情報を通信回線ＮＷ、基地局２０２、及びアンテナ２０１を介して送信するものである。この探索対象情報には、前述したように、探索対象である物品に設けられた無線タグ回路素子ＴｏのタグＩＤ、物品名称、物品の属性情報（例えば管理者情報や、その物品がネットワーク接続機器であればネットワークアドレスなど）等が含まれている。
【００７０】
次のステップＳ２０では、制御回路１３３は、通信領域情報を取得する。この通信領域情報は、アンテナ１１０の指向性に関する指向性情報と、アンテナ１１０を介して無線タグＴの無線タグ回路素子Ｔｏに情報を送信する際の信号の出力に関する送信出力情報からなり、上記指向性情報によってアンテナ１１０の通信領域のメインローブの方向が決定され、上記送信出力情報によって通信領域の大きさが決定される。すなわち、上記指向性情報によって視野ＦＶの中に可視化表示された通信領域Ｓ（後述の図６等参照）の視野ＦＶの中における表示位置が決定され、上記送信出力情報によって視野ＦＶの中に可視化表示された通信領域Ｓの大きさが決定される。本実施形態では、上述したように、アンテナ１１０の指向性は表示装置１２０の向きと同方向となるように固定的に設定されており、また送信出力も予め所定の値に設定されており、これらの設定値は前述した記憶部１３４にそれぞれ記憶されている。したがって、制御回路１３３は上記記憶部１３４より指向性情報及び送信出力情報を読み出し取得する。
【００７１】
次のステップＳ３０では、制御回路１３３は、上記ステップＳ２０で取得した通信領域情報に基づき、表示装置１２０の表示制御部１２１に表示信号を出力する。これにより、表示制御部１２１は光源ユニット１２２及び走査部１２３に制御信号を出力し、光源からの出射光が変調・走査されて操作者Ｍの瞳孔へ入射角を変化させつつ照射される。その結果、表示装置１２０の視野ＦＶ内において通信領域Ｓの可視化表示が行われる（後述の図７（ａ）参照）。
【００７２】
次のステップＳ４０では、制御回路１３３は、上記高周波回路１３１の送信部１４２に制御信号を送信し、水晶振動子１４５Ａ、ＰＬＬ１４５Ｂ、及びＶＣＯ１４５Ｃから例えばＵＨＦ帯（例えば９１５ＭＨｚ）の搬送波を発生させ、制御信号に基づいて発生した搬送波を変調・増幅させ、送受分離器１４４及びアンテナ１１０を介し、無線タグ回路素子ＴｏのＩＣ回路部１５０に対して読み取り信号（問い合わせ信号）を送信させる。この読み取り信号の送信は、上記ステップＳ２０で取得した送信出力情報及び指向性情報に基づく送信出力及び指向性に対応して行われる。
【００７３】
次のステップＳ５０では、制御回路１３３は、上記読み取り信号を送信した無線タグ回路素子ＴｏのＩＣ回路部１５０から上記読み取り信号に対応した応答信号を受信し、当該応答信号に基づき取得したタグＩＤが探索対象のタグＩＤと一致するか否かを判定する。一致しない場合には、無線タグ回路素子Ｔｏからの情報読み取りが完了していないと見なされ、判定が満たされずに上記ステップＳ４０に移る。一方、一致した場合には、無線タグ回路素子Ｔｏからの情報読み取りが完了したと見なされ、判定が満たされて次のステップＳ６０に移る。
【００７４】
ステップＳ６０では、制御回路１３３は、表示装置１２０の表示制御部１２１に表示信号を出力し、表示装置１２０の視野ＦＶの中に探索対象を発見した旨の発見情報を可視化表示させる（後述の図７（ｂ）参照）。そして、本フローを終了する。
【００７５】
以上において、上記ステップＳ２０は、特許請求の範囲各項記載の指向性に沿ってアンテナ手段から生成される通信領域に対応した通信領域情報を取得する領域情報取得手段を構成し、ステップＳ３０は、領域情報取得手段で取得した通信領域情報に基づき、表示手段の所定の視野内において通信領域の可視化表示を行うための表示信号を生成し、表示手段に出力する領域表示制御手段を構成する。また、ステップＳ６０は、問い合わせ信号に応じた無線タグからの応答信号を受信処理手段が受信した場合、所定の視野内において対応する表示を行うための表示信号を生成し、表示手段に出力する受信表示制御手段を構成する。
【００７６】
なお、上記フローチャートは本発明を上記フローに示す手順に限定するものではなく、発明の趣旨及び技術的思想を逸脱しない範囲内で手順の追加・削除又は順番の変更等をしてもよい。
【００７７】
図７（ａ）は、上記ステップＳ３０において表示装置１２０で通信領域Ｓを可視化表示した際の視野ＦＶの一例を表す図、図７（ｂ）は、上記ステップＳ６０において表示装置１２０で探索対象発見情報の可視化表示を行った際の視野ＦＶの一例を表す図である。
【００７８】
これら図７（ａ）及び図７（ｂ）において、表示装置１２０の視野ＦＶには、前述したようにアンテナ１１０の指向性が表示装置１２０の向きと同方向となるように固定的に設定されていることから、通信領域Ｓが略中央部に可視化表示されている。この可視化表示された通信領域Ｓの大きさは、予め設定された送信出力に応じたものとなっている。
【００７９】
図７（ａ）に示す例は、探索対象である上記レーザー複合機ＬＰが視野ＦＶの中に含まれず、探索対象ではない通常のプリンタＩＰ及びプロジェクタＰＪの自然像が視野ＦＶの中に含まれている状態である。またこのとき、プリンタＩＰに設けられた無線タグＴが通信領域Ｓ内に存在することから、当該無線タグＴの情報が無線通信によりアンテナ１１０を介して取得されているが、探索対象ではないため、発見情報Ｂは可視化表示されていない。
【００８０】
図７（ｂ）に示す例では、探索対象であるレーザー複合機ＬＰが視野ＦＶの中に含まれ、且つ当該レーザー複合機ＬＰに設けられた無線タグＴが通信領域Ｓ内に存在している。これにより、当該無線タグＴの情報が無線通信によりアンテナ１１０を介して取得され、発見情報Ｂが可視化表示されている。この発見情報Ｂには、探索対象情報（この例では探索対象ＬＰの名称、ネットワークアドレス、及び管理者名）が含まれている。
【００８１】
なお、探索対象ＬＰを発見した際の発見情報Ｂは上記のものに限られない。例えば、上記探索対象情報の代わりに「Ｂｉｎｇｏ！」等の発見した旨を報知するテキスト又は描画（図形、記号等）情報を可視化表示させてもよいし、通信領域Ｓの表示態様を変更（領域枠又は領域内全体の色の変更、領域枠の点滅・回転動作等）してもよい。あるいは、視野ＦＶの全体又は一部の表示態様変更（色の変更等）により探索対象ＬＰの発見を報知してもよい。
【００８２】
以上説明した本実施形態の無線タグ探索装置１００においては、操作者Ｍの体に保持されて所定の視野ＦＶを与える表示装置１２０が透過型に構成されており、操作者Ｍは、これによって視野ＦＶの中に探索対象ＬＰの自然像を見ることができる。一方で、無線タグ探索装置１００では、探索対象ＬＰに設けられた無線タグＴと無線通信を行うアンテナ１１０が所定の指向性を備えている。この指向性に沿ってアンテナ１１０から通信領域Ｓが生成され、これに対応した通信領域情報が制御回路１３３によって取得される。そしてその制御回路１３３から送信された通信領域情報に基づき、表示装置１２０の表示制御部１２１の制御により、表示装置１２０の視野ＦＶの中で、通信領域Ｓが可視化されて表示される。
【００８３】
以上のように、無線タグＴとの通信時には、アンテナ１１０からの通信領域Ｓが可視化されて表示される。これにより、操作者Ｍは、通信領域Ｓを視覚的に認識しながら無線タグＴの探索を行うことができるので、迅速かつ確実に探索対象を発見することができる。
【００８４】
また、本実施形態では特に、制御回路１３３は、通信領域情報として、アンテナ１１０の指向性に関する指向性情報と、アンテナ１１０を介して出力される信号の送信出力に関する送信出力情報とを取得する。この取得した送信出力情報によって通信領域Ｓの大きさを決定でき、指向性情報によって通信領域Ｓのメインローブの方向が決定できる。これにより、これら２つの情報によって通信領域Ｓの正確な位置を確実に特定し、表示装置１２０の視野内に精度よく可視化表示することができる。
【００８５】
また、本実施形態では特に、高周波回路１３１の送信部１４２で生成された問い合わせ信号がアンテナ１１０を介し通信領域Ｓ内へと送信される。通信領域Ｓ内に探索対象ＬＰに対応する無線タグＴが存在した場合は、当該問い合わせ信号に対応する応答信号が無線タグＴから送信され、アンテナ１１０を介し受信部１４３で受信される。このとき、表示装置１２０の視野ＦＶ内において対応する発見情報Ｂの可視化表示を行う。これにより、通信領域Ｓ内において探索したい無線タグＴが検出されたことを、操作者Ｍに確実に報知することができる。
【００８６】
なお、本発明は、上記実施形態に限られるものではなく、その趣旨及び技術的思想を逸脱しない範囲内で種々の変形が可能である。以下、そのような変形例を順を追って説明する。
【００８７】
（１）探索対象を可視化表示する場合
上記実施形態では特に行わなかったが、操作者Ｍが探索対象ＬＰを探索しやすいように、探索中表示装置１２０の視野ＦＶの中に探索対象情報を表示するようにしてもよい。
【００８８】
図８は、本変形例における無線タグ探索装置１００の制御回路１３３が実行する制御手順を表すフローチャートであり、前述の図６に対応する図である。図６と同様の手順には同符号を付し適宜説明を省略する。
【００８９】
ステップＳ１０では、前述の図６と同様に、制御回路１３３は、端末３００から送信された探索対象情報を取得する。
【００９０】
次のステップＳ１５では、制御回路１３３は、上記ステップＳ１０で取得した探索対象情報に基づき、表示装置１２０の表示制御部１２１に表示信号を出力する。これにより、表示装置１２０の視野ＦＶ内において探索対象情報の可視化表示が行われる（後述の図９（ａ）参照）。
【００９１】
その後のステップＳ２０〜ステップＳ６０は前述の図６と同様であり、制御回路１３３は、通信領域情報を取得し、この取得した通信領域情報に基づいて表示装置１２０の表示制御部１２１に表示信号を出力し、表示装置１２０の視野ＦＶ内に通信領域Ｓの可視化表示を行わせる。そして、無線タグＴの無線タグ回路素子Ｔｏに対し情報読み取りを行い、探索対象ＬＰを発見した場合には、表示装置１２０の視野ＦＶ内に探索対象を発見した旨を表す発見情報の可視化表示を行わせる（後述の図９（ｂ）参照）。そして、本フローを終了する。
【００９２】
以上において、上記ステップＳ１０は、特許請求の範囲各項記載の探索対象に関する探索対象情報を取得する対象情報取得手段を構成し、ステップＳ１５は、対象情報取得手段で取得した探索対象情報を所定の視野内において可視化表示するための表示信号を生成し、表示手段に出力する対象表示制御手段を構成する。
【００９３】
なお、上記フローチャートは本発明を上記フローに示す手順に限定するものではなく、発明の趣旨及び技術的思想を逸脱しない範囲内で手順の追加・削除又は順番の変更等をしてもよい。
【００９４】
図９（ａ）は、上記ステップＳ１５において表示装置１２０で探索対象情報を可視化表示した際の視野ＦＶの一例を表す図、図９（ｂ）は、上記ステップＳ６０において表示装置１２０で探索対象発見情報の可視化表示を行った際の視野ＦＶの一例を表す図である。
【００９５】
図９（ａ）に示すように、視野ＦＶの中における通信領域Ｓと重ならない外周側の位置に、探索対象ＬＰに関する探索対象情報Ｉが可視化表示されている。この例では、上記探索対象情報Ｉには、探索対象であるレーザー複合機ＬＰの外観画像情報と、レーザー複合機ＬＰの名称、ネットワークアドレス、及び管理者名からなるテキスト情報が含まれている。なおこのとき、探索対象ではない通常のプリンタＩＰ及びプロジェクタＰＪの無線タグＴが通信領域Ｓ内に存在するが、探索対象であるレーザー複合機ＬＰの無線タグＴが通信領域Ｓ内に含まれず、探索対象ＬＰが発見される前の状態である。このため、発見情報Ｂは可視化表示されていない。
【００９６】
図９（ｂ）に示すように、探索対象であるレーザー複合機ＬＰが発見されると、この例では、上記探索対象情報Ｉが外周側から通信領域Ｓ内に移動し、実際のレーザー複合機ＬＰの自然像に重なるように移動する（適宜拡大・縮小してもよい）。このような探索対象情報Ｉの表示態様の変更により、探索対象ＬＰを発見したことを操作者Ｍに報知するようになっている。
【００９７】
なお、探索対象ＬＰを発見した際の報知態様は上記のものに限られない。例えば、上記のように探索対象情報Ｉの表示部位及び大きさを変更する他にも、表示色を変更してもよいし、これら表示部位、大きさ、表示色のうち少なくとも１つの表示態様を変えるようにしてもよい。あるいは、探索対象情報Ｉを点滅、回転等動作させてもよい。
【００９８】
以上説明した変形例によれば、探索対象情報Ｉを表示装置１２０の視野ＦＶ内に併せて可視化表示するので、操作者Ｍが探索を行うときに、探索対象ＬＰを表示装置１２０の視野ＦＶ内にて確実に認識しつつ探索を行うことができ、利便性が高い。
【００９９】
また、本変形例では特に、表示装置１２０の視野ＦＶ内において、探索対象情報Ｉの中にレーザー複合機ＬＰの外観画像を可視化表示する。これにより、操作者Ｍは、生成された探索対象ＬＰの外観画像と、探索時において実際に視認される探索対象ＬＰの自然像とを容易に照合することができ、さらに利便性が向上する。また、他人に頼まれた、実物をよく知らない探索対象でも容易に探すことが可能という効果もある。
【０１００】
また、本変形例では特に、表示装置１２０の視野ＦＶ内において、探索対象情報Ｉの中にレーザー複合機ＬＰの物品名や属性情報（管理者名やネットワークアドレス等）のテキスト情報を可視化表示する。これにより、実際に表示装置１２０の視野ＦＶ内において視認しつつ探索を行うとき、操作者Ｍは探索対象ＬＰのテキスト情報を併せて視認することができ、利便性が高い。
【０１０１】
また、本変形例では特に、表示装置１２０の視野ＦＶ内において、探索対象情報Ｉを、視野ＦＶ内において通信領域Ｓと重ならないような位置に表示する。これにより、探索対象情報Ｉと通信領域Ｓのそれぞれの見やすさを確保することができる。
【０１０２】
また、本変形例では特に、表示装置１２０の視野ＦＶ内において、中央側に表示される通信領域Ｓと重ならないように探索対象情報Ｉを外周側に表示する。このように、通信領域Ｓを視野ＦＶの中央側に表示し、これと重ならない外周側に探索対象情報Ｉを表示することにより、それぞれの見やすさを確保することができる。
【０１０３】
また、本変形例では特に、探索対象ＬＰを発見した場合、表示装置１２０の視野ＦＶ内において表示されていた探索対象情報Ｉを、視野ＦＶ内においてその表示態様を変えて新たに表示する。このように、それまで表示されていた探索対象情報Ｉの表示態様を変えることで、無線タグＴが検出されたことに対応する新たな別の表示を行うことなく、無線タグＴが検出されたことを操作者Ｍに報知することができる。
【０１０４】
また、本変形例では特に、探索対象ＬＰを発見した場合、視野ＦＶ内における探索対象情報Ｉの表示部位、表示大きさ、及び表示色のうち少なくとも１つを変えて表示する。それまで表示されていた探索対象情報Ｉの表示部位や大きさや色を変えることで、操作者Ｍに対し無線タグＴが検出されたことを視覚的に明瞭に報知することができる。
【０１０５】
（２）探索対象発見後に方位表示を行う場合
図１０は、本変形例における無線タグ探索装置１００及び端末３００の機能構成を表す機能ブロック図であり、前述の図２に対応する図である。図２と同様の部分には同符号を付し説明を省略する。
【０１０６】
本変形例においては、無線タグ探索装置１００が表示装置１２０の方位情報（地球を基準とする絶対方位又は特定物を基準とする相対方位のどちらでもよい）を検出する電子コンパス１３５（方位検出手段）を有している。この電子コンパス１３４で検出された方位情報は、制御回路１３３に入力されると共に、上記記憶部１３４（方位記憶手段）に読み出し可能に記憶される。その他の構成は、前述の図２と同様である。
【０１０７】
図１１は、本変形例の無線タグ探索装置１００の制御回路１３３が実行する制御手順を表すフローチャートであり、前述の図６等に対応する図である。図６等と同様の手順には同符号を付し説明を適宜省略する。
【０１０８】
ステップＳ１０〜ステップＳ６０は、前述の図６と同様である。すなわち、制御回路１３３は、端末３００から送信された探索対象情報を取得すると共に、記憶部１３４から通信領域情報を取得し、この取得した通信領域情報に基づいて表示装置１２０の表示制御部１２１に表示信号を出力し、表示装置１２０の視野ＦＶ内に通信領域Ｓの可視化表示を行わせる。そして、無線タグＴの無線タグ回路素子Ｔｏに対し情報読み取りを行い、探索対象ＬＰを発見した場合には、表示装置１２０の視野ＦＶ内に探索対象を発見した旨を表す発見情報の可視化表示を行わせる。
【０１０９】
次のステップＳ７０では、制御回路１３３は、上記ステップＳ５０で探索対象ＬＰに係る無線タグＴからの応答信号を受信した際の方位情報（以下適宜「受信時方位情報」と記載する）を電子コンパス１３５より取得し、記憶部１３４に記憶させる。
【０１１０】
次のステップＳ８０では、制御回路１３３は、現在の方位情報（以下適宜「相対方位情報」と記載する）を電子コンパス１３５より取得し、記憶部１３４に記憶させる。
【０１１１】
次のステップＳ９０では、制御回路１３３は、記憶部１３４から受信時方位情報と相対方位情報を読み出し、その差を算出して方位に差があるか否かを判定する。方位に差がない場合には、上記ステップＳ５０で探索対象ＬＰに係る無線タグＴからの応答信号を受信した後、無線タグ探索装置１００の位置や姿勢が変わっていないと見なすことができるので、判定が満たされずに本フローを終了する。一方、方位に差がある場合には、探索対象ＬＰに係る無線タグＴからの応答信号を受信した後、無線タグ探索装置１００の位置や姿勢が変わったと見なすことができるので、判定が満たされて次のステップＳ９５に移る。
【０１１２】
ステップＳ９５では、制御回路１３３は、上記ステップＳ９０で算出した受信時方位情報と相対方位情報との差に基づき、表示装置１２０の表示制御部１２１に表示信号を出力する。これにより、表示制御部１２１は、表示装置１２０の視野ＦＶの中に探索対象ＬＰの無線タグＴの存在位置に対応する方向情報を可視化表示させる（後述の図１２（ｂ）参照）。そして、本フローを終了する。
【０１１３】
以上において、上記ステップＳ９５は、特許請求の範囲各項記載の所定の視野内において無線タグの存在位置情報に対応する表示を行うための表示信号を生成し、表示手段に出力する方向表示制御手段を構成する。
【０１１４】
なお、上記フローチャートは本発明を上記フローに示す手順に限定するものではなく、発明の趣旨及び技術的思想を逸脱しない範囲内で手順の追加・削除又は順番の変更等をしてもよい。
【０１１５】
図１２（ａ）は、上記ステップＳ６０において表示装置１２０で探索対象発見情報の可視化表示を行った際の視野ＦＶの一例を表す図、図１２（ｂ）は、上記ステップＳ９５において表示装置１２０で方向情報の可視化表示を行った際の視野ＦＶの一例を表す図である。
【０１１６】
図１２（ａ）においては、探索対象であるレーザー複合機ＬＰに設けられた無線タグＴが通信領域Ｓ内に存在しており、当該無線タグＴの情報が無線通信によりアンテナ１１０を介して取得され、発見情報Ｂが可視化表示されている。
【０１１７】
図１２（ｂ）は、上記図１２（ａ）の状態から、操作者Ｍが顔を動かす等により無線タグ探索装置１００全体の位置や姿勢が変わり、視野ＦＶが所定の方向（図１２中右方向）に移動した後の状態である。このとき、探索対象であるレーザー複合機ＬＰは視野ＦＶの外に出てしまっているが、レーザー複合機ＬＰの無線タグＴの存在位置情報を表す方向情報Ｙが視野ＦＶ中における略中央部に可視化表示されている。
【０１１８】
なお、上記では方向情報Ｙを矢印で表示するようにしたが、これに限られない。例えば、探索対象であるレーザー複合機ＬＰの外観画像情報を、視野ＦＶ中の対応する方向側の外周部に表示させることにより方向を示すようにしてもよいし、さらにはその外観画像を点滅等させてもよい。また、上記矢印や外観画像情報と共に、方向や距離を表すテキスト情報を併せて表示させてもよい。
【０１１９】
以上説明した変形例においては、無線タグ探索装置１００が、表示装置１２０の方位情報を検出する電子コンパス１３５を有し、探索対象ＬＰに係る無線タグＴの検出時の無線タグ探索装置１００の受信時方位を記憶部１３４に記憶しておく。これにより、表示装置１２０や無線タグ探索装置１００全体の位置や姿勢が変わってその方向が変化したとき、その方向変化を検出することができ、さらにタグ検出時以降、表示装置１２０や無線タグ探索装置１００全体の位置や姿勢が変わってその方向が変化したとき、記憶された受信時方位に基づきその方向変化を算出することができる。
【０１２０】
また、本変形例では特に、探索対象ＬＰに係る無線タグＴの検出時以降、表示装置１２０や無線タグ探索装置１００全体の位置や姿勢が変わってその方向が変化した場合でも、その方向の変化（ずれ）を補正する形での表示を行う。これにより、操作者Ｍに対し、無線タグＴの存在位置情報を確実に報知することができる。また表示装置１２０や無線タグ探索装置１００全体の方向が大きく変わり、上記図１２（ｂ）に示すように無線タグＴとの通信が途絶した場合であっても、視野ＦＶ内において無線タグＴの存在位置情報を報知し続けることができる。
【０１２１】
（３）探索対象発見後に指向性を可変させる場合
図１３は、本変形例における無線タグ探索装置１００及び端末３００の機能構成を表す機能ブロック図であり、前述の図１０に対応する図である。図１０と同様の部分には同符号を付し説明を省略する。
【０１２２】
本変形例の無線タグ探索装置１００は、高周波回路１３１Ａ及び複数のアンテナ素子を有するアンテナ１１０Ａを有している。そして、制御回路１３３は、上記アンテナ１１０Ａの複数のアンテナ素子の指向性（メインローブ）を所定の方向に保持しつつその方向を順次変化させることにより、いわゆるフェイズドアレイアンテナ制御を行う。
【０１２３】
図１４は、本変形例の無線タグ探索装置１００が有する高周波回路１３１Ａの詳細構成を表す機能ブロック図であり、前述の図４に対応する図である。図４と同様の部分には同符号を付し説明を適宜省略する。なお、図中に示す矢印は信号の流れの一例を示すものであり、信号の流れ方向を限定するものではない。
【０１２４】
図１３において、アンテナ１１０Ａは、１つの送信アンテナ（アンテナ素子）１１１と、複数（この例では８つ）の受信アンテナ（アンテナ素子）１１２Ａ，１１２Ｂ，１１２Ｃ，１１２Ｄ，１１２Ｅ，１１２Ｆ，１１２Ｇ，１１２Ｈ（但し煩雑防止のため一部図示省略、以下同様）とから構成されている。
【０１２５】
高周波回路１３１Ａは、上記送信アンテナ１１１及び受信アンテナ１１２Ａ，１１２Ｂ，１１２Ｃ，１１２Ｄ，１１２Ｅ，１１２Ｆ，１１２Ｇ，１１２Ｈを介し上記無線タグ回路素子ＴｏのＩＣ回路部１５０の情報へアクセスするための送信部１４２及び受信部１４３と、受信アンテナ１１２Ａ，１１２Ｂ，１１２Ｃ，１１２Ｄ，１１２Ｅ，１１２Ｆ，１１２Ｇ，１１２Ｈにそれぞれ係わる位相制御ユニット１０３Ａ，１０３Ｂ，１０３Ｃ，１０３Ｄ，１０３Ｅ，１０３Ｆ，１０３Ｇ，１０３Ｈと、これら位相制御ユニット１０３Ａ〜１０３Ｈからの出力を加算する加算器１０５とを有し、無線タグ回路素子ＴｏのＩＣ回路部１５０から読み取られた信号を処理して情報を読み出すと共に無線タグ回路素子ＴｏのＩＣ回路部１５０へアクセスするためのアクセス情報を生成する機能を含む上記制御回路１３３と接続されている。
【０１２６】
位相制御ユニット１０３Ａ，１０３Ｂ，１０３Ｃ，１０３Ｄ，１０３Ｅ，１０３Ｆ，１０３Ｇ，１０３Ｈは、制御回路１３３からの位相制御信号を入力しこれに応じて受信アンテナ１１２Ａ，１１２Ｂ，１１２Ｃ，１１２Ｄ，１１２Ｅ，１１２Ｆ，１１２Ｇ，１１２Ｈにおける受信電波信号の位相をそれぞれ可変に設定する移相器１０６Ａ，１０６Ｂ，１０６Ｃ，１０６Ｄ，１０６Ｅ，１０６Ｆ，１０６Ｇ，１０６Ｈと、制御回路１３３からの信号を入力しこれに応じて移相器１０６Ａ，１０６Ｂ，１０６Ｃ，１０６Ｄ，１０６Ｅ，１０６Ｆ，１０６Ｇ，１０６Ｈから入力した信号を可変に増幅し上記加算器１０５に出力する可変ゲインアンプ(増幅率可変アンプ)１０８Ａ，１０８Ｂ，１０８Ｃ，１０８Ｄ，１０８Ｅ，１０８Ｆ，１０８Ｇ，１０８Ｈとを備えている。
【０１２７】
上記以外の構成は前述の図４と同様であるので説明を省略する。
【０１２８】
図１５は、本変形例の無線タグ探索装置１００の制御回路１３３が実行する制御手順を表すフローチャートであり、前述の図１１に対応する図である。図１１と同様の手順には同符号を付し説明を適宜省略する。
【０１２９】
ステップＳ１０〜ステップＳ９０は、前述の図１１と同様である。すなわち、制御回路１３３は、端末３００から送信された探索対象情報を取得すると共に、記憶部１３４から通信領域情報を取得し、この取得した通信領域情報に基づいて表示装置１２０の表示制御部１２１に表示信号を出力し、表示装置１２０の視野ＦＶ内に通信領域Ｓの可視化表示を行わせる。そして、無線タグＴの無線タグ回路素子Ｔｏに対し情報読み取りを行い、探索対象ＬＰを発見した場合には、表示装置１２０の視野ＦＶ内に探索対象を発見した旨を表す発見情報の可視化表示を行わせる。
【０１３０】
またこのとき、制御回路１３３は、受信時方位情報を電子コンパス１３５より取得し記憶部１３４に記憶すると共に、その後の相対方位情報を電子コンパス１３５より取得し記憶部１３４に記憶する。そして、記憶部１３４から受信時方位情報と相対方位情報を読み出し、その差を算出して方位に差があるか否かを判定する。方位に差がない場合には、本フローを終了する。一方、方位に差がある場合には、探索対象ＬＰに係る無線タグＴからの応答信号を受信した後、無線タグ探索装置１００の位置や姿勢が変わったと見なすことができるので、判定が満たされて次のステップＳ９１に移る。
【０１３１】
ステップＳ９１では、高周波回路１３１Ａの位相制御ユニット１０３Ａ〜１０３Ｈに位相制御信号を出力し、上記ステップＳ９０で算出した受信時方位情報と相対方位情報との差に基づき、そのずれを補正するようにアンテナ１１０Ａの指向性を可変させる。
【０１３２】
その後、ステップＳ９２及びステップＳ９３において、通信領域情報（上記指向性可変制御に基づく指向性情報及び送信出力情報）を取得し、この取得した通信領域情報に基づいて表示装置１２０の表示制御部１２１に表示信号を出力し、表示装置１２０の視野ＦＶ内に通信領域Ｓの可視化表示を行わせる。そして、このフローを終了する。
【０１３３】
以上において、上記ステップＳ９１は、特許請求の範囲各項記載のアンテナ手段の指向性の方向を可変制御する指向性制御手段を構成する。
【０１３４】
なお、上記フローチャートは本発明を上記フローに示す手順に限定するものではなく、発明の趣旨及び技術的思想を逸脱しない範囲内で手順の追加・削除又は順番の変更等をしてもよい。
【０１３５】
図１６（ａ）は、上記ステップＳ６０において表示装置１２０で探索対象発見情報の可視化表示を行った際の視野ＦＶの一例を表す図、図１６（ｂ）は、上記ステップＳ９３において表示装置１２０で指向性を可変させた後の通信領域情報の可視化表示を行った際の視野ＦＶの一例を表す図である。
【０１３６】
図１６（ａ）は、前述の図１２（ａ）と同様であり、探索対象であるレーザー複合機ＬＰに設けられた無線タグＴが、視野ＦＶの略中央部に可視化表示された通信領域Ｓ内に存在しており、当該無線タグＴの情報が無線通信によりアンテナ１１０を介して取得され、発見情報Ｂが可視化表示されている。
【０１３７】
図１６（ｂ）は、上記図１６（ａ）の状態から、操作者Ｍが顔を動かす等により無線タグ探索装置１００全体の位置や姿勢が変わり、視野ＦＶが所定の方向（図１６中右方向）に移動した後の状態である。このとき、探索対象であるレーザー複合機ＬＰは視野ＦＶ中の外周側に移動しているが、指向性が可変されることにより通信領域Ｓもレーザー複合機ＬＰの移動に追従し、レーザー複合機ＬＰと同様の位置に可視化表示されている。この結果、無線タグＴとの無線通信も維持されており、発見情報Ｂも継続して可視化表示されている。
【０１３８】
以上説明した変形例においては、アンテナ１１０Ａの指向性の方向が、制御回路１３３によって可変制御される。これにより、アンテナ１１０Ａからの通信領域Ｓを、指向性の方向の変化と共に移動させることができる。そして、制御回路１３３の制御に基づき、その移動する通信領域Ｓが表示装置１２０の視野ＦＶ内において可視化表示されることにより、操作者Ｍは、移動する通信領域Ｓを視覚的に認識しながら無線タグＴの探索を行うことができる。
【０１３９】
また、本変形例では特に、探索対象ＬＰに係る無線タグＴの検出時以降、表示装置１２０や無線タグ探索装置１００全体の位置や姿勢が変わってその方向が変化した場合でも、その方向の変化（ずれ）を補正する形で指向性の方向を無線タグＴの存在位置方向に制御することができる。これにより、無線タグＴとの通信を確実に維持することができる。また電波を出し続けることで、ほんとうにその方向に無線タグＴが存在するかを確実に検出することができる。
【０１４０】
（４）探索対象発見前に指向性を可変させる場合
上記変形例（３）では、探索対象を発見するまでは指向性を固定しておき、発見後に指向性を可変制御させて通信領域を探索対象に追従させるようにしたが、探索対象を発見するまでの間に指向性を可変させてもよい。本変形例は、そのような制御を行う場合の一例である。
【０１４１】
本変形例の無線タグ探索装置１００の構成は、前述の図１３に示す構成と同様であるので説明を省略する。
【０１４２】
図１７は、本変形例の無線タグ探索装置１００の制御回路１３３が実行する制御手順を表すフローチャートであり、前述の図１１等に対応する図である。図１１等と同様の手順には同符号を付し説明を適宜省略する。
【０１４３】
まずステップＳ１０では、制御回路１３３は、端末３００から送信された探索対象情報を取得する。
【０１４４】
次のステップＳ１００では、制御回路１３３は、フェイズドアレイアンテナ制御によりアンテナ１１０Ａの指向性を変化させつつ、探索対象ＬＰの無線タグＴの探索を行う探索処理を行う（詳細手順は後述の図１８参照）。
【０１４５】
次のステップＳ６０では、制御回路１３３は、表示装置１２０の表示制御部１２１に表示信号を出力し、表示装置１２０の視野ＦＶの中に探索対象を発見した旨の発見情報を可視化表示させる（後述の図１９（ａ）参照）。
【０１４６】
次のステップＳ６５では、制御回路１３３は、上記高周波回路１３１の送信部１４２に制御信号を送信して読み取り信号の送信を停止させ、無線タグＴとの無線通信を停止する。
【０１４７】
次のステップＳ７０〜ステップＳ９０は前述の図１１等と同様であり、制御回路１３３は、受信時方位情報を電子コンパス１３５より取得し記憶部１３４に記憶すると共に、その後の相対方位情報を電子コンパス１３５より取得し記憶部１３４に記憶する。そして、記憶部１３４から受信時方位情報と相対方位情報を読み出し、その差を算出して方位に差があるか否かを判定する。方位に差がない場合には、本フローを終了する。一方、方位に差がある場合には、ステップＳ９６に移る。
【０１４８】
ステップＳ９６では、制御回路１３３は、上記ステップＳ９０で算出した方位差に基づき、表示装置１２０の表示制御部１２１に表示信号を出力する。これにより、表示装置１２０の視野ＦＶ内に、上記方位の差を補正する形で移動させた通信領域Ｓの可視化表示が行われる（後述の図１９（ｂ）参照）。
【０１４９】
なお、上記フローチャートは本発明を上記フローに示す手順に限定するものではなく、発明の趣旨及び技術的思想を逸脱しない範囲内で手順の追加・削除又は順番の変更等をしてもよい。
【０１５０】
図１８は、上記ステップＳ１００の探索処理の詳細手順を表すフローチャートである。
【０１５１】
まず、ステップＳ１０１において、制御回路１３３は、方位初期設定情報を記憶部１３４から読み出し取得する。方位初期設定情報は、フェイズドアレイアンテナ制御を開始するにあたり初期角度を設定するための情報である。
【０１５２】
次のステップＳ１０２では、制御回路１３３は、フェイズドアレイアンテナ制御を開始するにあたり、そのメインローブ方向を示すメインローブ方向角θの初期値を上記ステップＳ１０１で取得した方位初期設定情報に基づきθａに設定する。
【０１５３】
その後、ステップＳ１０３では、制御回路１３３は、メインローブ方向角θの値に応じ、受信アンテナ１１２Ａ，１１２Ｂ，１１２Ｃ，１１２Ｄ，１１２Ｅ，１１２Ｆ，１１２Ｇ，１１２Ｈに係る位相を決定し、これに対応した位相制御信号を位相制御ユニット１０３Ａ，１０３Ｂ，１０３Ｃ，１０３Ｄ，１０３Ｅ，１０３Ｆ，１０３Ｇに出力する。
【０１５４】
その後、ステップＳ１０４で、制御回路１３３は、上記のように受信アンテナ１１２Ａ〜１１２Ｈの位相を設定した(言いかえればメインローブ方向角θを設定した)条件のもと、送信アンテナ１１１より探索対象ＬＰの無線タグＴに対する読み取り信号（問い合わせ信号）を出力させる。
【０１５５】
次のステップＳ１０５及びステップＳ１０６では、制御回路１３３は、通信領域情報（上記指向性可変制御に基づく指向性情報及び送信出力情報）を取得し、この取得した通信領域情報に基づいて表示装置１２０の表示制御部１２１に表示信号を出力し、表示装置１２０の視野ＦＶ内に通信領域Ｓの可視化表示を行わせる。
【０１５６】
その後、ステップＳ１０７で、制御回路１３３は、上記読み取り信号に対応して探索対象ＬＰの無線タグＴの無線タグ回路素子Ｔｏから送信された応答信号を受信アンテナ１１２Ａ〜１１２Ｈより受信し、位相制御ユニット１０３Ａ〜１０３Ｈでその位相を制御し、加算器１０５及び受信部１４３を介し取り込む。
【０１５７】
そしてステップＳ１０８で、制御回路１３３は、上記受信した応答信号に基づき、取得したタグＩＤが探索対象のタグＩＤと一致するか否かを判定する。一致しない場合には、ステップＳ１１０で予め定められたθSTEPだけ加え、ステップＳ１０３に戻り、同様の手順を繰り返す。
【０１５８】
こうしてステップＳ１０３〜ステップＳ１１０を繰り返してθの値にθSTEPを小刻みに加え、全受信アンテナ１１２Ａ〜１１２Ｈによって生じるメインローブ（指向性）の方向を単一方向に保持しつつそのメインローブ方向角θを徐々に変化させる。このとき、メインローブの変化に合わせて、表示装置１２０の視野ＦＶ内に通信領域Ｓの可視化表示が行われる。そして、取得したタグＩＤが探索対象のタグＩＤと一致した場合には、上記ステップＳ１０８の判定が満たされ、本ルーチンを終了する。
【０１５９】
なお、上記フローチャートは本発明を上記フローに示す手順に限定するものではなく、発明の趣旨及び技術的思想を逸脱しない範囲内で手順の追加・削除又は順番の変更等をしてもよい。
【０１６０】
図１９（ａ）は、指向性を可変させつつ探索対象ＬＰの探索を行い、上記ステップＳ６０において表示装置１２０で探索対象発見情報の可視化表示を行った際の視野ＦＶの一例を表す図、図１９（ｂ）は、上記ステップＳ９６において表示装置１２０で移動後の通信領域情報の可視化表示を行った際の視野ＦＶの一例を表す図である。
【０１６１】
図１９（ａ）は、前述の図１２（ａ）等と同様であり、探索対象であるレーザー複合機ＬＰに設けられた無線タグＴが、視野ＦＶの略中央部に可視化表示された通信領域Ｓ内に存在しており、当該無線タグＴの情報が無線通信によりアンテナ１１０を介して取得され、発見情報Ｂが可視化表示されている。
【０１６２】
図１９（ｂ）は、上記図１９（ａ）の状態から、操作者Ｍが顔を動かす等により無線タグ探索装置１００全体の位置や姿勢が変わり、視野ＦＶが所定の方向（図１９中右方向）に移動した後の状態である。このとき、探索対象であるレーザー複合機ＬＰは視野ＦＶ中の外周側に移動しているが、通信領域Ｓがレーザー複合機ＬＰの移動に追従して、レーザー複合機ＬＰと同様の位置に可視化表示されている。なお、本変形例では無線タグＴとの無線通信は停止しているため、発見情報Ｂは可視化表示されていない。
【０１６３】
以上説明した変形例においては、探索対象ＬＰの無線タグＴからの応答があった場合にその後の無線通信を停止することにより、無用な通信を行うことを防止し、無線タグ探索装置１００の使用電力を節減することができる。また、応答時の位置を記憶させておくことにより、通信終了後も無線タグＴの存在位置情報を操作者Ｍに報知することができる。
【０１６４】
また、本変形例では特に、受信時方位と相対方位との差に応じ、表示装置１２０の視野ＦＶ内において通信領域Ｓを移動させて可視化表示する。これにより、一度無線タグＴの応答受信に成功して無線通信が停止した後、表示装置１２０や無線タグ探索装置１００全体の方向が変わった場合でも、その変化を補正するように通信領域Ｓを移動させる形（言い換えればもとの通信領域Ｓをロックオンして捕捉し続ける形）での継続表示を行うことができる。この結果、操作者Ｍに対し、探索対象ＬＰに係る無線タグＴの存在位置情報を確実に報知することができる。
【０１６５】
（５）その他
以上では、指向性を可変させた場合に、表示装置１２０の視野ＦＶ内に可視化表示された通信領域Ｓを指向性の方向の変化と共に移動させるようにしたが、これに限られず、指向性の変化によってカバー可能な全体通信領域について可視化表示を行うようにしてもよい。
【０１６６】
例えば図２０は、アンテナ１１０Ａの指向性を所定の角度（視野ＦＶ内に収まる範囲内の角度）で左右方向に変化させた場合の視野ＦＶの一例を表す図である。図に示すように、本変形例では、指向性の変化によってカバー可能な全体通信領域Ｓｏが表示装置１２０の視野ＦＶ内に可視化表示されている。これにより、操作者Ｍは、移動する通信領域Ｓを重ね合わせた全体通信領域Ｓｏを視覚的に認識しながら無線タグＴの探索を行うことができる。
【０１６７】
また以上では、指向性を可変させる場合において、電子的制御（フェイズドアレイアンテナ制御）を用いて指向性を可変させたが、これに限られず、アンテナ１１０を駆動させて物理的に指向性を可変させてもよい。
【０１６８】
また以上では、指向性を可変させる場合において、自動的に指向性が移動するようにしたが、これに限られず、無線タグ探索装置１００に指向性方向操作手段を設け、操作者Ｍが手動でアンテナ１１０の指向性を任意方向に変更できるような構成としてもよい。これにより、例えば物品が高所に並べて配置されているような場合にその方向に指向性を向けることが可能となり、探索操作を容易にし、操作者Ｍの利便性を向上できる。なお、上記指向性方向操作手段の一例としては、例えばレーザーポインタ等が挙げられる。この場合、レーザーポインタから出力される光を画像解析等で検知し、その方向に指向性を可変制御させればよい。このようにレーザーポインタを用いることで、探索しようとする無線タグＴの位置が自他共にわかりやすいという効果が期待できる。
【０１６９】
また以上では、アンテナ１１０の指向性が、表示装置１２０の向きと同方向となるようにアンテナ１１０が表示装置１２０に固定的に設けられており、アンテナ１１０の指向性情報及び送信出力情報からなる通信領域情報を取得することにより、通信領域Ｓを視野ＦＶ内に可視化表示するようにしたが、これに限られない。すなわち、アンテナ１１０と表示装置１２０とが別体として設けられているような場合には、各々の方位を電子コンパス１３５（方位検出手段）で検出し、これらの方位情報に基づき通信領域Ｓを視野ＦＶ内に可視化表示するようにしてもよい。
【０１７０】
また以上では、表示装置１２０として網膜走査型ディスプレイを用いたが、操作者Ｍの身体に装着可能ないわゆるウェアラブルタイプの透過型ディスプレイであれば、その他の表示装置を用いてもよい。
【０１７１】
図２１は、その他の表示装置の一例である反射型のヘッドマウントディスプレイの構成を概念的に表す図である。
【０１７２】
本変形例の表示装置１８０は、生成された画像を表示する画像表示部１８１と、可視光線を透過させると共に、特定の波長又は帯域の光線を反射させる性質を有するハーフミラー１８２と、これら画像表示部１８１及びハーフミラー１８２を備える筐体１８３とを有する。この表示装置１８０において、操作者Ｍは、物品の自然像をハーフミラー１８２を透過させて視野ＦＶの中に見ることができると共に、制御回路１３３の制御に基づき画像表示部１８１で表示された生成画像（通信領域Ｓ等）がハーフミラー１８２で操作者Ｍ側に反射されることにより、視野ＦＶの中で上記物品の自然像に重ね合わせて見ることが可能となっている。このような構成である表示装置１８０を用いても、上記実施形態等と同様の効果を得ることができる。
【０１７３】
また、以上既に述べた以外にも、上記実施形態や各変形例による手法を適宜組み合わせて利用しても良い。
【０１７４】
その他、一々例示はしないが、本発明は、その趣旨を逸脱しない範囲内において、種々の変更が加えられて実施されるものである。
【図面の簡単な説明】
【０１７５】
【図１】本実施形態の無線タグ探索装置を含む探索システムの全体構成を表すシステム構成図である。
【図２】無線タグ探索装置及び端末の機能構成を表す機能ブロック図である。
【図３】表示装置の詳細な機能構成を表す機能ブロック図である。
【図４】高周波回路の詳細構成を表す機能ブロック図である。
【図５】無線タグ回路素子の機能的構成の一例を表すブロック図である。
【図６】無線タグ探索装置の制御回路が実行する制御手順を表すフローチャートである。
【図７】表示装置で通信領域を可視化表示した際の視野の一例を表す図、及び表示装置で探索対象発見情報の可視化表示を行った際の視野の一例を表す図である。
【図８】探索対象を可視化表示する変形例における無線タグ探索装置の制御回路が実行する制御手順を表すフローチャートである。
【図９】探索対象を可視化表示する変形例において、表示装置で探索対象情報を可視化表示した際の視野の一例を表す図、及び表示装置で探索対象発見情報の可視化表示を行った際の視野の一例を表す図である。
【図１０】探索対象発見後に方位表示を行う変形例における無線タグ探索装置及び端末の機能構成を表す機能ブロック図である。
【図１１】探索対象発見後に方位表示を行う変形例において、無線タグ探索装置の制御回路が実行する制御手順を表すフローチャートである。
【図１２】探索対象発見後に方位表示を行う変形例において、表示装置で探索対象発見情報の可視化表示を行った際の視野の一例を表す図、及び表示装置で方向情報の可視化表示を行った際の視野の一例を表す図である。
【図１３】探索対象発見後に指向性を可変させる変形例における無線タグ探索装置及び端末の機能構成を表す機能ブロック図である。
【図１４】探索対象発見後に指向性を可変させる変形例における無線タグ探索装置が有する高周波回路の詳細構成を表す機能ブロック図である。
【図１５】探索対象発見後に指向性を可変させる変形例において、無線タグ探索装置の制御回路が実行する制御手順を表すフローチャートである。
【図１６】探索対象発見後に指向性を可変させる変形例において、表示装置で探索対象発見情報の可視化表示を行った際の視野の一例を表す図、及び表示装置で指向性を可変させた後の通信領域情報の可視化表示を行った際の視野の一例を表す図である。
【図１７】探索対象発見前に指向性を可変させる変形例の無線タグ探索装置の制御回路が実行する制御手順を表すフローチャートである。
【図１８】ステップＳ１００の探索処理の詳細手順を表すフローチャートである。
【図１９】探索対象発見前に指向性を可変させる変形例において、表示装置で探索対象発見情報の可視化表示を行った際の視野の一例を表す図、及び表示装置で移動後の通信領域情報の可視化表示を行った際の視野の一例を表す図である。
【図２０】アンテナ指向性の変化によってカバー可能な全体通信領域の可視化表示を行った際の視野の一例を表す図である。
【図２１】その他の表示装置の一例である反射型のヘッドマウントディスプレイの構成を概念的に表す図である。
【符号の説明】
【０１７６】
１００          無線タグ探索装置
１１０          アンテナ（アンテナ手段）
１２０          表示装置（表示手段）
１３４          記憶部（方位記憶手段）
１３５          電子コンパス（方位検出手段）
１４２          送信部（送信処理手段）
１４３          受信部（受信処理手段）
１８０          表示装置（表示手段）
ＦＶ            視野
ＬＰ            探索対象
Ｍ              操作者
Ｓ              通信領域
Ｓｏ            全体通信領域
Ｔ              無線タグ
【図１】
0005071800.tif 000002
【図２】
0005071800.tif 000003
【図３】
0005071800.tif 000004
【図４】
0005071800.tif 000005
【図５】
0005071800.tif 000006
【図６】
0005071800.tif 000007
【図７】
0005071800.tif 000008
【図８】
0005071800.tif 000009
【図９】
0005071800.tif 000010
【図１０】
0005071800.tif 000011
【図１１】
0005071800.tif 000012
【図１２】
0005071800.tif 000013
【図１３】
0005071800.tif 000014
【図１４】
0005071800.tif 000015
【図１５】
0005071800.tif 000016
【図１６】
0005071800.tif 000017
【図１７】
0005071800.tif 000018
【図１８】
0005071800.tif 000019
【図１９】
0005071800.tif 000020
【図２０】
0005071800.tif 000021
【図２１】
0005071800.tif 000022